(57)【特許請求の範囲】
【請求項１】
防水性かつ耐火性の順応性材料でできた本体１０１を備え、折り畳み状態または輸送状態と、展開状態または使用状態との間で展開可能であり、互いに平行な両側面、斜面状の屋根、および床からなる台形の断面形状を有する内部居住空間を生じる、キャンプ用のモジュール式の展開可能なシェルターであって；前記シェルターは、使用状態では、剛性の屋根板１０２を備え、該屋根板は、展開状態にある際に前記本体の屋根の上に設置され、本体の屋根が展開状態でＶ字型断面を有することにより、前記屋根板１０２と前記本体の屋根との間に通気性のある空間１０３が形成されること；前記本体の床は、剛性の床板１０４によって下から閉じられること；前記本体の右側および左側の側面は、ベローズ構造１０５を有し、使用状態では、前記ベローズ構造１０５が補強され、複数の剛性の構造枠１０６が取り付けられているほか、その前部１０７および後部１０８も剛性板によって閉じられ、前記本体の前板は、展開状態での前記居住空間の入口を規定する開口１０７ａを備えること；前記本体の側面は、展開状態ではＶ字型の空間を有し、前記Ｖ字型の空間に、蜂の巣状の断面を有し補強用材料が充填された補強材が組み込まれ、前記ベローズ構造１０５が補強されていることを特徴とする、シェルター。
【請求項２】
前記屋根の上に備わる複数のソーラーパネルが組み込まれる、請求項１に記載の展開可能なシェルター。
【請求項３】
雨水を収集して貯蔵するための手段が組み込まれる、請求項１または２に記載のシェルター。
【請求項４】
少なくとも１つの蛇口が組み込まれる、請求項１〜３のうちいずれか一項に記載のシェルター。
【請求項５】
通気または換気のための手段が組み込まれる、請求項１〜４のうちいずれか一項に記載のシェルター。
【請求項６】
前記ベローズの壁どうしの間の角度は、４２度と４８度との間で変動する、請求項１〜５のうちいずれか一項に記載のシェルター。
【請求項７】
折り畳み状態での運搬を容易にするためのタイヤ３および取手４が組み込まれる、請求項１〜６のうちいずれか一項に記載のシェルター。
【請求項８】
前記本体１０１の装甲手段が組み込まれる、請求項１〜７のうちいずれか一項に記載のシェルター。
【請求項９】
請求項１に記載のシェルターが複数配置されて構成されているキャンプ用施設。
【発明の詳細な説明】
【技術分野】
【０００１】
本発明の目的は、展開可能なシェルターであって、該シェルターを短時間で組み立てられ、モジュール式で、連結可能で、人道的な使用にも軍事的使用にもキャンプを迅速に設営でき、利用者の生活条件を本質的に改善し、キャンプの設営を容易にし、様々なモジュールどうしを連結できることで順応性に優れているシェルターである。
【背景技術】
【０００２】
国連難民高等弁務官事務所（ＵＮＨＣＲ）によれば、２０１１年の世界中の難民数は４２，５００，０００人に達している。この問題を解決するための現在の難民キャンプは通常、十分なサービスがない大量のキャンプ用テントで構成されており、このテントは不便で、残念ながら、半永久的または永久的な住居として使用することが意図されているが、そのようには設計されていない。
【０００３】
この問題を解決するために、（特許文献１）、（特許文献２）および（特許文献３）のように、折り畳み式シェルターによる様々な解決策が知られている。このようなシェルターはいずれも、孤立したシェルターから始まり、他の同じシェルターと実際に結合して折り畳み状態ともう１つの展開状態との間で展開し、居住可能な空間を規定する機能がない。しかしながら、これらの文献には、管状構造で壁が順応性のキャンプ用テントが本質的に記載されているが、屋根、床および壁に機械耐性の特徴が欠けている。同じように、それ自体の特徴により、どのキャンプ用テントでも同じく、十分な遮音および／または断熱条件が欠けており、軍事情勢の中で使用している場合に一定の弾道防護が欠けていることは言うまでもない。
【先行技術文献】
【特許文献】
【０００４】
【特許文献１】米国特許第２０１２２９１３６４号明細書
【特許文献２】米国特許第２０１１０９４５５４号明細書
【特許文献３】米国特許第６６０１５９８号明細書
【発明の概要】
【発明が解決しようとする課題】
【０００５】
本発明は、本明細書の説明文に明記したように、キャンプ用に展開可能でモジュール式のシェルターであって、半永久的にキャンプで使用するためにシェルターの構造耐性の技術的問題を解決し、シェルターを迅速に組み立てられる順応性の特徴を失わないシェルターについて記載している。
【課題を解決するための手段】
【０００６】
このようにするために、本発明の目的であるシェルターは、防水性かつ耐火性の順応性材料でできた本体を備え、該本体は、折り畳み状態または輸送状態と、展開状態または使用状態との間で展開可能であり、斜面状の屋根があって変化可能な空間からなる台形の内部居住空間を生じる。シェルターは、展開状態または使用状態では、剛性の屋根板を備え、この屋根板は、展開状態にある際に順応性本体の上部を閉じ、前記上部によって通気性のある空間を形成する。順応性本体の床は、剛性の床板によって下から閉じられている。順応性本体の右側および左側は、使用状態では、構造部材として剛性の枠が組み込まれ、長手方向に補強されたベローズ構造を有するほか、その前部および後部も剛性板によって閉じられ、前板は、展開状態での居住空間の入口を規定する開口を備えている。最後に、順応性本体の側面に規定されたＶ字型の空間には、展開状態では、砂またはその他の補強用材料を充填できる補強材が組み込まれる。
【０００７】
一方、本発明の第２の態様では、従来の碁盤状態に代わって、中央構造体の周囲にシェルタータイプの各ユニットを連結する組織的な配置にするキャンプの配置が特許請求され、これは、この態様が示唆する多くの社会的利点を有するコミュニティ生活を集会形態で容易にするものである。
【０００８】
シェルターのこの構造により、キャンプ用テントが有する利点、例えば低コスト、輸送が容易、すぐに使用可能な点などと同じ利点を有することが可能である。しかしながら、その構造により、その順応性の特徴を犠牲にすることなく、テントの給付、特に温度と湿度および居住適性の快適性に関する条件を著しく改善できる。一方、これらのシェルターを用いて設営したキャンプでは、雨水および再生エネルギーの供給を通してサービスが容易に提供されるため、エネルギーを最大限に効率よく提供できるとともに、持続可能性も達成できる。
【０００９】
全般に、本発明が提供する利点は、以下の点である。
−  物管理システム：シェルターは、容易に輸送され、可能な限り短時間で組み立てられるものでなければならい。
−  面積：最低限の比率３．５ｍ２／人（５〜６名＝１８〜２１ｍ２）以上である。
−  居住適性：断熱性および遮音性、防水性、通気性および蒸散性を向上させ、時期に応じて改善する、つまり、適応可能、修正可能かつ拡張可能である。
−  社会的資質：コミュニティの感覚を促進し、私的な空間を形成し、昼間の空間と夜間の空間を区別できる。
−  風景の一体化：住居はキャンプのよりよい計画を促進し、そのキャンプは、景色の空間面での質を向上させ、社会化して生活の質を向上させるための開放空間、植物、菜園、道および出会いの場を難民に提供する。
−  順応性：設計は、住居が地形条件、気候条件および社会条件などの条件変化に適応して様々な構成になることが可能でなければならない。
−  持続可能な設計：シェルターは、良好な使用および天然資源の最大限の利用ならびに可能な限り高いレベルのエネルギー効率を促進する。これは、シェルターの使用を最適化するために水を循環させ、太陽エネルギーおよび風力エネルギーを取得して電気エネルギーに変換し、コンポストを作るために有機材料を貯蔵することを考慮することで実現される。
【００１０】
軍事環境で使用する場合、シェルターは、散弾および中口径の弾薬の衝撃から一層防護し、紛争状態の軍隊の安全性を高める。
【００１１】
最後に、その輸送上の特徴および熟練者ではない人による容易な組み立てにより、紛争または自然災害が発生した瞬間から迅速かつ経済的に展開することが可能であることを指摘できる。
【００１２】
説明文および特許請求の範囲を通して、「ｃｏｍｐｒｅｎｄｅ（備える）」という単語およびその派生語は、その他の技術的な特徴、追加、要素または工程を排除することを意図するものではない。当業者には、本発明のその他の目的、利点および特徴は、本発明の説明の一部および実践の一部から明らかになるであろう。以下の例および図面は、例示的に提供するものであり、本発明を限定する意図はない。また、本発明は、本明細書に記載した特定の実施形態と好適な実施形態とのあらゆる可能な組み合わせを含める。
【００１３】
続いて、本発明をよりよく理解する一助となり、本発明の非限定的な例を示す前記発明の実施形態と明瞭に関連付ける一連の図面をごく簡潔に説明していく。
【図面の簡単な説明】
【００１４】
【図１】本発明の目的であるモジュール式の展開可能なシェルターが使用状態にある図である。
【図２】図１に示したシェルターの平面図である。
【図３】本発明の目的であるモジュール式の展開可能なシェルターが使用状態にあり、その基本的な設置を示す図である。
【図４】本発明の目的であるシェルターを形成している展開後の順応性本体の図である。
【図５】本発明の目的であるシェルターを形成している順応性本体の原型図である。
【図６】折り畳み状態にある本発明の目的であるシェルターを搭載した輸送コンテナの荷下ろし動作を示す図である。
【図７】本発明の目的であるシェルターの組み立て動作を示す図である。
【図８】本発明の目的であるシェルターの組み立て動作の別の工程を示す図である。
【図９】組み立てられた２つのシェルターが互いに結合している様子を示す図である。
【図１０】本発明による複数のシェルターを用いて設営されたキャンプの図である。
【発明を実施するための形態】
【００１５】
添付の図面に見られるように、本発明の目的であるシェルター１は、防水性かつ耐火性の順応性材料でできた本体１０１を備え、該本体は、折り畳み状態または輸送状態と、展開状態または使用状態との間で展開可能であり、斜面状、すなわち片側に傾いた屋根があって変化可能な空間からなる台形の内部居住空間を生じる。
【００１６】
展開状態または使用状態にあるシェルター１は、剛性の屋根板１０２を備え、この屋根板は、展開状態にある際に順応性本体１０１の上部を閉じ、前記上部によって通気性のある空間１０３を形成する。
【００１７】
順応性本体１０１の床は、剛性の床板１０４によって下から閉じられている。順応性本体１０１の右側および左側は、使用状態では、補強されたベローズ構造１０５といくつかの剛性の構造枠１０６とを有するほか、その前部１０７および後部も剛性板１０８によって閉じられ、前板１０７は、展開状態での居住空間の入口を規定する開口１０７ａを備えている。
【００１８】
屋根板１０２は、特定の実施形態では、複数のソーラーパネルで覆われていてよい。一方、図２に見られるように、本体１０１の柔軟性は、前記本体１０１をいくつかの空間に分割できるようにするものであり、これはつまり、その時々の特定の必要性に応じていくつかの部屋を適合させられる（例えば、昼間と夜間とで部屋を区別する、あるいはその時々の具体的な必要性に応じて部屋を変える）ということである。
【００１９】
図３に見られるように、また、前述したように、屋根板１０２は、シェルターの本体１０１にエネルギーを供給するために複数のソーラーパネルで覆われてよい。
【００２０】
また、前記本体は、雨水を収集して貯蔵するための手段を組み込むことができ、雨水は、本体１０１に水を供給するため、または水の供給を補うものとして用いることができ、一般には前記本体１０１の入口に備えられる。最後に、本体１０１には、特定の実施形態では、いくつかの通気または換気手段が組み込まれる。
【００２１】
図４は、本体１０１の壁の構造がどのように形成されているかを示す図であり、展開状態では、（図の詳細拡大図に示したように）補強用材料が組み込まれた蜂の巣状の補強材が組み込まれ、この材料は、土、砂または瓦礫で構成されてよく、本体１０１の構造を補強するものである。
【００２２】
図５は、ベローズ形態である順応性本体の構造を表し、この図では、ベローズの壁どうしの間の角度は、好適な実施形態では、４２度と４８度との間で変動してよい。
【００２３】
本発明の目的であるシェルターは、折り畳み状態で輸送され、これによって輸送において顕著な順応が可能になる。目的地に到着すれば、折り畳まれたシェルター１はコンテナ２から降ろされ、そのために、図６に示したように、２人だけで容易に運べるようにタイヤ３および取手４が備わっている。
【００２４】
図７には、本発明の目的であるシェルターの一連の組み立て動作が示されている。このようにするために、シェルターは、事前に平らにした地面に降ろされ、折り畳まれた順応性本体の内部６に収容されている床および屋根の剛性板５が分離される。
【００２５】
図からわかるように、２人の作業員だけで、構造体を開けて組み立て始めることができる。なぜなら、長手方向の棒は床に備わっている板と同じ寸法だからである。
【００２６】
図８に示したように、構造体を開けると、床から屋根に伸びる棒は固定され、それによって本体を形成する床および板は、前記棒上に組み立てられる。
【００２７】
その後、屋根または傾斜した覆いは、本体の屋根の上に直接設置され、通気チャンバを形成する。続いて、電気配線およびキャンプの蛇口が接続される。
【００２８】
最後に、例えば、砂、土および／または瓦礫などの補強用材料を用いて壁を充填し始める。
【００２９】
図９は、限定的ではない実用的な実施形態を示しており、この図では、２つの本体１０１が結合して、両者の間に通路ができるように内側に開口を残している。
【００３０】
本発明の目的である折り畳み式シェルターは、集団の電気供給手段として再生可能なエネルギーが一体化していることにより、自給自足コミュニティの発展基地としての役割を果たせる。このように、例えば、図１０に示したように、一つの同じ集団に取り入れたいくつかのシェルターを設置でき、シェルターには、屋根あるいは太陽エネルギーも風力も利用する外部の本体に備えられたソーラーパネルを介して電気を供給できる。
【００３１】
前記コミュニティは、少なくとも１つの耕作地または温室を取り入れることができ、これは、雨水を受ける役割を果たすほか、前記コミュニティに暮らす人々に食糧を提供できるものである。
【００３２】
図１１および図１２は、本明細書で提唱したシェルターの軍事使用のための実用的な実施形態を示し、この図では、前述した要素が組み込まれていると同時に、本体１０１の上に位置している少なくともいくつかの装甲手段が組み込まれ、この装甲は、起こり得る直接の衝撃または散弾から軍隊をさらに一層保護する。
【００３３】
したがって、例を挙げると、２０，０００Ｋｇの積載能力があるＣ−１３０ハーキュリーズタイプの輸送航空機では、完全装備した折り畳み式シェルターを１２０個まで輸送可能である。一方、１１，０００人およびそれに対応するサービスがある１つのキャンプの場合、必要な海洋輸送コンテナは３００個のみであり、これは、現在のコンテナ輸送船、例えばコンテナ積載容量が１１０００（ＴＥＵ）であるエマ・マースク（Ｅｍｍａ  Ｍａｅｒｓｋ）（ｈｔｔｐ：／／ｅｓ．ｗｉｋｉｐｅｄｉａ．ｏｒｇ／ｗｉｋｉ／Ｅｍｍａ＿Ｍ％Ｃ３％Ａ６ｒｓｋ）のような船の場合は最小の積載であり、これで、一回の船荷で３８０，０００人以上に対して３５のキャンプを用意することが可能になる。
【図１】
0006409234.tif 000002
【図２】
0006409234.tif 000003
【図３】
0006409234.tif 000004
【図４】
0006409234.tif 000005
【図５】
0006409234.tif 000006
【図６】
0006409234.tif 000007
【図７】
0006409234.tif 000008
【図８】
0006409234.tif 000009
【図９】
0006409234.tif 000010
【図１０】
0006409234.tif 000011
【図１１】
0006409234.tif 000012
【図１２】
0006409234.tif 000013